(57)【要約】【課題】送風ファン及びファンモータに負荷がかからないように該送風ファン及びファンモータを保持して、該送風ファン及びファンモータの脱着作業を容易に行えるようにするファンモータ脱着治具の構造を課題とする。【解決手段】ファン駆動モータ２４のフランジ部２４ａに設けられた係合溝２４ｆにファンモータ脱着治具８０のクランプ８１の先端の係合突起８１ｂを挿入して、該脱着治具８０を周方向に回転させることにより、該係合溝２４ｆに設けられた突起２４ｇと該クランプの先端の係合突起８１ｂとを係合させ、該送風ファン２３及びファン駆動モータ２４を該脱着治具８０で保持し、該脱着治具８０に保持された該送風ファン２３及びファン駆動モータ２４をファンハウジング２２の挿入孔２２ａからハウジング内に挿入する【選択図】    図３
2004249919.tif 000002
【特許請求の範囲】
【請求項１】
空調ケースに、ファンモータ及びそのモータ軸に結合された送風ファンを挿入する挿入孔が形成され、
上記空調ケースの上記挿入孔に対向する位置にファンモータを取り付ける取付壁が設けられ、
上記ファンモータには、上記送風ファンよりも側方に張り出した張出し部が形成されている空調装置において、
上記ファンモータの上記空調ケースに対する脱着の際に、該ファンモータを上記送風ファンと共に空調ケース内に保持するファンモータ脱着治具であって、
上記ファンモータを送風ファンと共に保持するために該ファンモータの張出し部に係合するクランプと、
上記送風ファンを結合したファンモータが、上記空調ケース内の取付位置に位置付けられ且つ該ファンモータに上記クランプが係合した状態において、上記空調ケースに係合し、上記送風ファン及びファンモータを空調ケース内で支える保持ストッパとを備え、
上記保持ストッパは、上記クランプが上記ファンモータに係合した状態で、上記空調ケースに係合する係合位置と非係合位置とに相対移動可能に設けられていることを特徴とするファンモータ脱着治具。
【請求項２】
請求項１に記載されたファンモータ脱着治具において、
上記ファンモータは、上記空調ケースの取付壁に設けられた受部に預けられて該取付壁に取り付けられるものであり、
上記空調ケースの挿入孔周縁には、複数の切欠きが周方向に間隔をおいて形成されており、
上記保持ストッパは、上記空調ケース内に上記切欠きより挿入される遠心方向へ突出した複数の係合部を備えていると共に、上記クランプに対して上記挿入孔の周方向に回転可能に取り付けられていて、回転により該係合部が上記切欠きからずれて該空調ケースの挿入孔周縁の内面に係合することにより、上記受部と相俟って上記ファンモータを送風ファンと共に空調ケース内に保持することを特徴とするファンモータ脱着治具。
【請求項３】
ファンモータを、そのモータ軸に結合された送風ファンと共に空調ケースに収容して取り付ける、治具を用いたファンモータ取付方法であって、
上記治具は、上記送風ファンよりも側方に張り出した上記ファンモータの張出し部に係合するクランプと、上記空調ケースに係合する保持ストッパとを備えており、
上記クランプを上記張出し部に係合させて上記ファンモータを送風ファンと共に上記治具で保持し、
上記治具で保持したファンモータを送風ファン及び上記クランプと共に上記空調ケースの挿入孔から該ケース内に挿入して、該ケースの上記挿入孔に対向する取付壁に設けられた受部に預ける一方、上記保持ストッパを上記空調ケースの挿入孔周縁の内面に係合させ、上記ファンモータを送風ファンと共に上記治具と上記受部とによって空調ケース内に保持し、
上記治具による保持状態において上記ファンモータを上記取付壁に対して該取付壁の裏側から取り付け、
上記クランプの上記張出し部に対する係合を解き、
上記保持ストッパの上記空調ケースに対する係合を解き、
上記治具を上記空調ケースから抜き取ることを特徴とするファンモータ取付方法。
【請求項４】
空調ケース内の取付壁に設けられた受部に預けられて該取付壁に取り付けられたファンモータを外して、送風ファンと共に該取付壁に対向する挿入孔から抜き取る、治具を用いたファンモータ取り外し方法であって、
上記治具は、上記送風ファンよりも側方に張り出した上記ファンモータの張出し部に係合するクランプと、上記空調ケースに係合する保持ストッパとを備えており、
上記治具のクランプを上記挿入孔から上記空調ケース内に挿入して上記張出し部に係合させる一方、上記保持ストッパを上記空調ケースの挿入孔周縁の内面に係合させ、
上記ファンモータと上記取付壁との結合を該取付壁の裏側から外して、該ファンモータを送風ファンと共に上記治具と上記受部とによって上記空調ケースに保持した状態とし、
上記保持ストッパの上記空調ケースに対する係合を解き、
上記治具を上記ファンモータ及び送風ファンと共に上記空調ケースから抜き取り、
上記クランプを上記張出し部から外すことを特徴とするファンモータ取り外し方法。
【発明の詳細な説明】
【０００１】
【発明の属する技術分野】
本発明は、ファンモータ脱着治具及びファンモータの脱着方法に関する。
【０００２】
【従来の技術】
車両用空調装置の送風ファンモータ取付構造として、空調ケースの送風ファン挿入孔の周縁に複数の内側へ突出した凸部を周方向に間隔をおいて形成し、該凸部間にファンモータ周囲の凸部を嵌め入れ、ファンモータを回転させてファンモータの凸部に形成された周方向に延びる溝に空調ケースの凸部を嵌め込むことにより、ファンモータを空調ケースに取付けるようにした回転式取付構造が知られている（例えば、特許文献１参照）。
【０００３】
しかし、上述のファンモータ取付構造は、空調ケースのファン挿入孔が設けられたケース壁にファンモータを取り付ける構造であるから、空調ケースのファン挿入孔が開口した側に、該送風ファンモータを点検・保守するための脱着スペースが必要になる。しかし、そのスペースに他の車両部品が配設されていて隙間がない場合、空調装置全体を取り外さないと該送風ファンモータの取り外しができないため、非常に手間がかかり作業効率が悪い等の問題があった。
【０００４】
【特許文献１】
特開平７−２５１６２７号公報
【０００５】
【発明が解決しようとする課題】
そこで、本発明者は、空調ケースのファン挿入孔に対向する取付壁にファン取付孔を設け、ファンモータをファン挿入孔から挿入して該ファン取付孔に取り付ける構造を考案し、該挿入孔が開口した側に設けられた導風ケースを取り外してできるスペースを利用して送風ファン及びファンモータの脱着作業を行うことができるようにした。
【０００６】
しかし、上述の取付壁に設けられたファン取付孔にファンモータを脱着する構造では、送風ファン及びファンモータを脱着する際に、該送風ファン及びファンモータが空調ケース内で脱落しないように作業者が送風ファンを支えておく必要があるため、作業者が送風ファンに直接触れて送風ファンが変形したりモータ軸へ負荷がかかるなどの問題がある。また、送風ファンを支えながらファンモータの取付部材を脱着する作業は、空調ケースの挿入孔と取付孔が各々対向するケース壁に位置しているため作業者が一人で行うことは難しく、最低二人の作業者が必要で作業効率が悪く、人件費も高くなるという問題がある。
【０００７】
本発明は、上述の問題を解決するため、送風ファン及びファンモータに負荷がかからないように該送風ファン及びファンモータを保持して、該送風ファン及びファンモータの脱着作業を容易に行えるようにするファンモータ脱着治具の構成を課題とする。
【０００８】
【課題を解決するための手段】
請求項１に係る発明は、空調ケースに、ファンモータ及びそのモータ軸に結合された送風ファンを挿入する挿入孔が形成され、
上記空調ケースの上記挿入孔に対向する位置にファンモータを取り付ける取付壁が設けられ、
上記ファンモータには、上記送風ファンよりも側方に張り出した張出し部が形成されている空調装置において、
上記ファンモータの上記空調ケースに対する脱着の際に、該ファンモータを上記送風ファンと共に空調ケース内に保持するファンモータ脱着治具であって、
上記ファンモータを送風ファンと共に保持するために該ファンモータの張出し部に係合するクランプと、
上記送風ファンを結合したファンモータが、上記空調ケース内の取付位置に位置付けられ且つ該ファンモータに上記クランプが係合した状態において、上記空調ケースに係合し、上記送風ファン及びファンモータを空調ケース内で支える保持ストッパとを備え、
上記保持ストッパは、上記クランプが上記ファンモータに係合した状態で、上記空調ケースに係合する係合位置と非係合位置とに相対移動可能に設けられていることを特徴とする。
【０００９】
従って、本発明によれば、上記ファンモータを上記空調ケースに脱着する際に、上記ファンモータ脱着治具のクランプを該ファンモータの張出し部に係合させて、該送風ファン及びファンモータを該脱着治具で保持することができるから、作業者が該送風ファン及びファンモータを直接把持しなくても、該ファンモータを該空調ケースに挿入し、また該空調ケースから抜き取ることができ、該送風ファンやモータ軸に負荷がかかって変形することを防止できる。また、上記送風ファンを結合したファンモータが、上記空調ケース内の取付位置に位置付けられ且つ該ファンモータに上記クランプが係合した状態で、上記保持ストッパを該空調ケースに係合させることにより、上記ファンモータを送風ファンと共に空調ケース内に保持することができるから、該送風ファン及びファンモータを作業者が保持する必要がなく、該ファンモータの取付壁への取付、取り外し作業を一人で行うことができるため作業効率が高まり、人件費の低減につながる。
【００１０】
請求項２に係る発明は、請求項１に記載されたファンモータ脱着治具において、
上記ファンモータは、上記空調ケースの取付壁に設けられた受部に預けられて該取付壁に取り付けられるものであり、
上記空調ケースの挿入孔周縁には、複数の切欠きが周方向に間隔をおいて形成されており、
上記保持ストッパは、上記空調ケース内に上記切欠きより挿入される遠心方向へ突出した複数の係合部を備えていると共に、上記クランプに対して上記挿入孔の周方向に回転可能に取り付けられていて、回転により該係合部が上記切欠きからずれて該空調ケースの挿入孔周縁の内面に係合することにより、上記受部と相俟って上記ファンモータを送風ファンと共に空調ケース内に保持することを特徴とする。
【００１１】
従って、本発明によれば、上記脱着治具の保持ストッパを該空調ケースの挿入孔周縁に係合することにより、該空調ケースの取付壁に設けられた受部と相俟って上記ファンモータを送風ファンと共に空調ケース内に保持するから、該送風ファン及びファンモータが該空調ケース内で脱落して破損することを防止でき、また該脱着治具の構造が簡単であるためコスト低減に有利になる。
【００１２】
請求項３に係る発明は、ファンモータを、そのモータ軸に結合された送風ファンと共に空調ケースに収容して取り付ける、治具を用いたファンモータ取付方法であって、
上記治具は、上記送風ファンよりも側方に張り出した上記ファンモータの張出し部に係合するクランプと、上記空調ケースに係合する保持ストッパとを備えており、
上記クランプを上記張出し部に係合させて上記ファンモータを送風ファンと共に上記治具で保持し、
上記治具で保持したファンモータを送風ファン及び上記クランプと共に上記空調ケースの挿入孔から該ケース内に挿入して、該ケースの上記挿入孔に対向する取付壁に設けられた受部に預ける一方、上記保持ストッパを上記空調ケースの挿入孔周縁の内面に係合させ、上記ファンモータを送風ファンと共に上記治具と上記受部とによって空調ケース内に保持し、
上記治具による保持状態において上記ファンモータを上記取付壁に対して該取付壁の裏側から取り付け、
上記クランプの上記張出し部に対する係合を解き、
上記保持ストッパの上記空調ケースに対する係合を解き、
上記治具を上記空調ケースから抜き取ることを特徴とする。
【００１３】
従って、本発明によれば、上記治具を用いて上記送風ファン及びファンモータの取り付け作業を行うから、作業者が上記送風ファン及びファンモータを直接把持しなくても該ファンモータを該空調ケースに取り付けることができ、該送風ファンやモータ軸に負荷がかかって変形することを防止できる。また、上記保持ストッパを該空調ケースに係合させることにより、該ファンモータを該空調ケースへ取り付ける前に該送風ファン及びファンモータが該空調ケース内で脱落することを防止できるから、該ファンモータを保持しながら該ファンモータを取り付ける作業を一人で行うことができるため作業効率が高まり、人件費の低減につながる。
【００１４】
請求項４に係る発明は、空調ケース内の取付壁に設けられた受部に預けられて該取付壁に取り付けられたファンモータを外して、送風ファンと共に該取付壁に対向する挿入孔から抜き取る、治具を用いたファンモータ取り外し方法であって、
上記治具は、上記送風ファンよりも側方に張り出した上記ファンモータの張出し部に係合するクランプと、上記空調ケースに係合する保持ストッパとを備えており、
上記治具のクランプを上記挿入孔から上記空調ケース内に挿入して上記張出し部に係合させる一方、上記保持ストッパを上記空調ケースの挿入孔周縁の内面に係合させ、
上記ファンモータと上記取付壁との結合を該取付壁の裏側から外して、該ファンモータを送風ファンと共に上記治具と上記受部とによって上記空調ケースに保持した状態とし、
上記保持ストッパの上記空調ケースに対する係合を解き、
上記治具を上記ファンモータ及び送風ファンと共に上記空調ケースから抜き取り、
上記クランプを上記張出し部から外すことを特徴とする。
【００１５】
従って、本発明によれば、上記治具を用いて上記送風ファン及びファンモータの取り外し作業を行うから、作業者が上記送風ファン及びファンモータを直接把持しなくても該ファンモータを該空調ケースから取り外すことができ、該送風ファンやモータ軸に負荷がかかって変形することを防止できる。また、上記保持ストッパを該空調ケースに係合させることにより、上記ファンモータの該空調ケースへの係合を解除した時に該送風ファン及びファンモータが該空調ケース内で脱落することを防止できるから、該ファンモータを保持しながら該ファンモータを取り外す作業を一人で行うことができるため作業効率が高まり、人件費の低減につながる。
【００１６】
【発明の実施の形態】
以下、本発明の実施形態を図面に基づいて説明する。
【００１７】
＜空調ユニットの通路構成＞
図１に示すように、本発明の実施形態に係る車両用空調装置１は、空調ユニット２と導風ユニット３とを備えている。空調ユニット２を構成する空調ケース４は、導風ユニット３からエアが導入される本体ケース部４Ａと、本体ケース部４Ａの下側開口に接続されたドレンケース部４Ｂと、ドレンケース部４Ｂの上側開口に接続されたダクトアッシーケース部４Ｃとを備えてなる。
【００１８】
空調ケース４内には、円筒状空間を形成するファンハウジング２２と、該ファンハウジング２２より下方へ延びるエア送り通路２１と、該エア送り通路２１の下流端で区画壁７により分岐した冷風通路３０及び温風通路３１と、該冷風通路３０と温風通路３１との合流部であるエアミックス通路３５とを備えている。ファンハウジング２２に送風ファン２３が軸心を車幅方向に配置して収容され、エアミックス通路３５の上流端に、冷風と温風との混合割合を切り換えるエアミックスダンパ３４が設けられている。
【００１９】
エアミックス通路３５の上部は、ベント吹出口３６を有する後側通路と、デフロスト吹出口３７を有する前側通路とに分岐し、各通路には切換えドア３９，４０が通路開口面積を調節可能に配設されている。また、エアミックス通路３５の下部から車体後方へ向かう通路３８が分岐している。ベント吹出口３６はベンチレータに、デフロスト吹出口３７はデフロスタダクトに、分岐通路３８の側面開口６５は前席乗員足下へ、分岐通路３８の先端開口６４は後席乗員足下に、それぞれダクト（図示省略）によって接続され、車室に温調風が供給される。
【００２０】
本体ケース部４Ａにおけるエア送り通路２１の下流端に、エバポレータ（冷却用熱交換器）５が配設されている。エバポレータ５の手前側（車体前側）にはエアフィルタ２９が配設され、エアフィルタ２９の手前側には風量調節装置２０が配設されている。温風通路３１には、ヒータコア（加熱用熱交換器）６が配設されている。
【００２１】
＜空調ユニット２におけるエアの流れ＞
従って、上記空調ユニット２の通路構成においては、送風ファン２３によってファンハウジング２２からエア送り通路２１に送られたエアは、風量調節装置２０によって風量が調節された状態でエアフィルタ２９を通過して集塵され、さらにエバポレータ５を通過することによって冷風となる。この冷風は、エアミックスダンパ３４の回動位置によって決まる風量の分配割合に応じて冷風通路３０側とヒータコア６側（温風通路３１側）とに分岐し、ヒータコア６に向かった冷風は該ヒータコア６を通過することによって温風となる。
【００２２】
そうして、冷風通路３０からの冷風と温風通路３１からの温風とがエアミックス通路３５で合流して所要温度の空調エアとなり、各切換ドア３９，４０，４２の開度に応じた量の空調エアが、ベント吹出口３６、デフロスト吹出口３７或いは分岐通路３８の先端開口６４，側面開口６５からダクト及びベンチレータ等を介して車室に供給される。
【００２３】
＜送風ファン２３について＞
図２に示すように、送風ファン２３は、遠心式多翼ファンであり、その回転軸を車幅方向に配置してファンハウジング２２内に配設され、さらにこの送風ファン２３にファン駆動モータ２４（ファンモータ）が結合されている。上記ファンハウジング２２には、その片側の壁に上記送風ファン２３及びファン駆動モータ２４を挿入するための挿入孔２２ａ（図５に図示）が形成され、反対側の取付壁に該ファン駆動モータ２４を取り付けるための取付孔（受部）２２ｂが形成され、挿入孔２２ａと取付孔２２ｂとは、該送風ファン２３の軸方向において相対向している。上記挿入孔２２ａの周縁には、周方向に間隔をあけて設けられた切欠き２２ｅ（図５に図示）が形成されている。
【００２４】
図３及び図４にも示すように、上記ファン駆動モータ２４は、上記挿入孔２２ａより上記ファンハウジング２２内に挿入されて周辺部が上記取付壁内面の上記取付孔２２ｂ周縁部に全周にわたって当接するフランジ部（張出し部）２４ａを備えている。該フランジ部２４ａには、その周方向に間隔をあけて設けられ外方に突出した複数の突出部２４ｅが形成されており、該突出部２４ｅには、周方向に延びる係合溝２４ｆが形成されている。図５にも示すように、係合溝２４ｆには、その一端より周方向に所定長さ離れた位置から他端に至るまでの区間において、係合溝２４ｆの周縁からモータ軸中心に向かって突起２４ｇが突出しており、後述するファンモータ脱着治具８０の先端に設けられた係合突起８１ｂと係合するように形成されている。
【００２５】
さらに、ファン駆動モータ２４は、上記当接状態で上記取付孔２２ｂよりも軸方向外方へ突出する突出部２４ｂと、該突出部２４ｂ周面より周方向に間隔をおいて側方へ突出した複数の係合突起２４ｃとを備え、上記フランジ部２４ａと突出部２４ｂ周面と係合突起２４ｃとによって係合凹部２４ｄが形成されている。従って、この係合凹部２４ｄは、外周面側が開口しているとともに、周方向の両端が開口した溝状になっている。
【００２６】
送風ファン２３及びファン駆動モータ２４は、ファンハウジング２２の挿入孔２２ａから挿入され、ファンハウジング２２の取付孔２２ｂよりも外側に突出した係合突起２４ｃに取付リング２５（取付部材）が係合されてファンハウジング２２に取付けられている。
【００２７】
すなわち、取付リング２５は、上記ファン駆動モータ２４の周方向に延びる係合突起２４ｃの外回りを周回するように設けられたリング部２５ｃを備えている。このリング部２５ｃの内周面に、内側に突出し且つ周方向に延びる複数の係合部２５ａが周方向に間隔をおいて設けられており、該係合部２５ａが上記ファン駆動モータ２４の係合凹部２４ｄに嵌合されて該係合突起２４ｃに係合するようになっている。係合部２５ａは、周方向の中央部が軸方向外側（ファンハウジング２２の外側）へ出張り、周方向の両端に行くに従って出張り量が少なくなったテーパー状になっており、該係合突起２４ｃと係合する際に該係合凹部２４ｄに嵌合しやすいようになっている。
【００２８】
また、取付リング２５は、リング部２５ｃより外側へ張り出したフランジを備え、該フランジの先端にファンハウジング２２の取付壁外面に当面する当接部２５ｄが形成されている。さらに、取付リング２５には、上記リング部２５ｃより外側へ突出し且つ突出端より屈曲してファンハウジング２２の取付壁から離れる方向に立ち上がったフック部を有する弾性ストッパ２５ｂが形成されている。
【００２９】
取付リング２５が取り付けられるファンハウジング２２の取付面には、取付孔２２ｂと同心円状で且つ取付リング２５の外径よりも大きな環状突起２２ｃが設けられている。そうして、環状突起２２ｃの一部が切り欠かれて凹所２２ｄが形成されており、上記係合部２５ａが係合突起２４ｃに係合したときに取付リング２５に設けられた弾性ストッパ２５ｂが該凹所２２ｄに嵌合して、取付リング２５の軸方向の回転を阻止するようになっている。
【００３０】
そして、送風ファン２３及びファン駆動モータ２４の取り付け後、ファンハウジング２２のファン挿入口周縁に設けられた凸状突起とエアパッキン２６の一方の側面に設けられた凹状溝とを係合し、また、エアパッキン２６の他方の側面に設けられた凸状突起と導風ケース１０の開口部周縁に設けられた凹状溝とを係合することにより、導風ケース１０をファンハウジング２２に密閉性を確保しつつ結合している。
【００３１】
＜ファンモータ脱着治具８０について＞
図６に示すように、ファンモータ脱着治具８０は、送風ファン２３及びファン駆動モータ２４を保持するクランプ８１と、該クランプ８１の中央部に設けられたクランプ軸８２と、該クランプ軸８２に係合し周方向に回転自在に設けられた保持ストッパ８３と、作業者が該脱着治具８０を把持するための把持ハンドル８４とから形成されている。
【００３２】
クランプ８１は、上記送風ファン２３の軸方向に延び、該送風ファン２３の外周を取り囲むように周方向に間隔をあけて配設された複数のクランプ部材８１ａを備え、該複数のクランプ部材８１ａの先端には、各々その先端が外側に屈曲してなる係合突起８１ｂが形成されている。また、クランプ８１の中央部にはクランプ軸８２の一端が結合しており、クランプ軸８２の他端には、把持ハンドル８４が結合している。
【００３３】
保持ストッパ８３は、クランプ８１と把持ハンドル８４との間に挟まれてクランプ軸８２を中心に回転自在となっており、また、上記ファンハウジング２２の挿入孔２２ａの周縁よりも外方に突出し且つ上記ファンハウジング２２の挿入孔２２ａの周縁に設けられた切欠き２２ｅから該ファンハウジング２２内に挿入して、該ファンハウジング２２の挿入孔２２ａが形成されているケース壁の内面に係合する係合部８３ａを備えている。
【００３４】
図３及び図５にも示すように、保持ストッパ８３には回転規制孔８３ｂが設けられ、把持ハンドル８４には規制ピン８４ａが設けられている。該規制ピン８４ａを回転規制孔８３ｂに嵌合することにより、保持ストッパ８３が周方向に所定角度にのみ回転するように規制している。
【００３５】
＜ファンモータ脱着治具８０を用いた脱着方法＞
送風ファン２３及びファン駆動モータ２４のファンハウジング２２への取り付け手順について説明する。図７及び図８に示すように、ファン駆動モータ２４のフランジ部２４ａに設けられた係合溝２４ｆにファンモータ脱着治具８０のクランプ８１の先端の係合突起８１ｂを挿入して、該脱着治具８０を周方向に回転させることにより、該係合溝２４ｆに設けられた突起２４ｇと該クランプの先端の係合突起８１ｂとを係合させ、該送風ファン２３及びファン駆動モータ２４を該脱着治具８０で保持する。
【００３６】
脱着治具８０に保持された該送風ファン２３及びファン駆動モータ２４をファンハウジング２２の挿入孔２２ａからハウジング内に挿入する一方、図５に示すように、保持ストッパ８３を該挿入孔２２ａの周縁に設けられた切欠き２２ｅから該ファンハウジング２２内に挿入し、ファン駆動モータ２４のモータ部分をファンハウジング２２の取付壁の取付孔２２ｂより突出させて該ファン駆動モータ２４を該取付孔２２ｂに預け、フランジ部２４ａを取付壁内面に当接する。そして、該保持ストッパ８３を回転させて該切欠き２２ｅの位置からずらし、該保持ストッパ８３をファンハウジング２２の挿入孔２２ａが形成されているケース壁の内面に係合して、該送風ファン２３及びファン駆動モータ２４を該ファンハウジング２２内に保持する。すなわち、ファンハウジング２２の取付孔２２ｂによるファン駆動モータ２４の支持と、該保持ストッパ８３のケース壁への係合とで該送風ファン２３及びファン駆動モータ２４を該ファンハウジング２２内に保持している。
【００３７】
次に図３及び図４に示すように、取付リング２５を、その係合部２５ａをファン駆動モータ２４の相隣る係合突起２４ｃ間に位置付けて、上記取付壁の外面側に当て、軸回りに回転させる。これにより、係合部２５ａがファン駆動モータ２４の係合凹部２４ｄに嵌まっていく。この場合、取付リング２５は正逆いずれの方向に回転させても、係合部２５ａが係合凹部２４ｄに嵌まっていくことになる。
【００３８】
そうして、係合部２５ａの周方向の中央部が係合凹部２４ｄの周方向の中央部に位置付けられたとき、ファン駆動モータ２４と取付リング２５とが上記取付壁を挟んで最も強く引き合った状態になり、ファン駆動モータ２４のフランジ部２４ａは上記取付壁の内面に、取付リング２５の当接部２５ｄは上記取付壁の外面にそれぞれ強く圧接され、ファン駆動モータ２４が上記取付壁に強固に取付けられた状態になる。
【００３９】
また、上記取付リング２５を回転させているときは、弾性ストッパ２５ｂは外側へ若干撓んだ状態でファンハウジング２２の環状突起２２ｃ上を摺動し、係合部２５ａの周方向の中央部が係合凹部２４ｄの周方向の中央部に位置付けられたときに、弾性ストッパ２５ｂがその弾性復元力により凹所２２ｄに嵌まる。これにより、取付リング２５の偶発的な回転が阻止され、ファン駆動モータ２４の脱落が防止される。
【００４０】
そして、上記送風ファン２３及びファン駆動モータ２４を取付リング２５でファンハウジング２２内に取り付けた後、図５に示すように、上記保持ストッパ８３を上記切欠き２２ｅ位置まで周方向に回転させて、該保持ストッパ８３と上記ファンハウジング２２との係合を解除し、該脱着治具８０を周方向に逆回転させることにより該脱着治具８０と該ファン駆動モータ２４との係合を解除して、該脱着治具８０を該ファンハウジング２２内から取り外すことにより、該送風ファン２３及びファン駆動モータ２４のファンハウジング２２への取り付けが完了する。
【００４１】
また、送風ファン２３やファン駆動モータ２４の保守・点検の手順について説明する。導風ケース１０（図２に図示）をファンハウジング２２から外し、該ファンハウジング２２の挿入孔２２ａからファンモータ脱着治具８０のクランプ８１を該ファンハウジング２２内に挿入する一方、保持ストッパ８３を該挿入孔２２ａの周縁に設けられた切欠き２２ｅから該ファンハウジング２２内に挿入する。そして、ファン駆動モータ２４のフランジ部２４ａに設けられた係合溝２４ｆに該脱着治具８０のクランプ８１の先端の係合突起８１ｂを挿入して、該脱着治具８０を周方向に回転させることにより、該係合溝２４ｆに設けられた突起２４ｇと該クランプの先端の係合突起８１ｂとを係合させ、該脱着治具８０を該送風ファン２３及びファン駆動モータ２４に係合する。そして、該脱着治具８０に設けられた保持ストッパ８３を該切欠き２２ｅの位置からずらして該ファンハウジング２２の挿入孔２２ａが形成されているケース壁の内面に係合する。
【００４２】
次に図３及び図４に示すように、弾性ストッパ２５ｂのフック部を引いて弾性ストッパ２５ｂを外側に撓ませた状態で取付リング２５を正逆いずれかの方向に回転させて、上記係合部２５ａと係合凹部２４ｄとの係合を解除する。このとき、ファンハウジング２２の取付孔２２ｂによるファン駆動モータ２４の支持と、該保持ストッパ８３のケース壁への係合とで該送風ファン２３及びファン駆動モータ２４が該ファンハウジング２２内に保持された状態になる。
【００４３】
そして、図５に示すように、上記保持ストッパ８３を上記切欠き２２ｅ位置まで周方向に回転させて、該保持ストッパ８３と上記ファンハウジング２２との係合を解除し、該脱着治具８０に保持された送風ファン２３及びファン駆動モータ２４をファンハウジング２２から挿入孔２２ａを通して抜き取ることにより、該送風ファン２３及びファン駆動モータ２４のファンハウジング２２からの取り外しが完了する。この場合、導風ケース１０（図２に図示）を取り外した後のスペースが送風ファン２３及びファン駆動モータ２４の脱着スペースとなり、その脱着作業が容易になる。
【００４４】
【発明の効果】
従って、請求項１に係る発明によれば、ファンモータを空調ケースに脱着する際に、ファンモータ脱着治具のクランプを該ファンモータの張出し部に係合させて、該送風ファン及びファンモータを該脱着治具で保持することができるから、作業者が該送風ファン及びファンモータを直接把持しなくても、該ファンモータを該空調ケースに挿入し、また該空調ケースから抜き取ることができ、該送風ファンやモータ軸に負荷がかかって変形することを防止できる。また、上記送風ファンを結合したファンモータが、上記空調ケース内の取付位置に位置付けられ且つ該ファンモータに上記クランプが係合した状態で、上記保持ストッパを該空調ケースに係合させることにより、上記ファンモータを送風ファンと共に空調ケース内に保持することができるから、該送風ファン及びファンモータを作業者が保持する必要がなく、該ファンモータの取付壁への取付、取り外し作業を一人で行うことができるため作業効率が高まり、人件費の低減につながる。
【００４５】
請求項２に係る発明によれば、脱着治具の保持ストッパを該空調ケースの挿入孔周縁に係合することにより、該空調ケースの取付壁に設けられた受部と相俟って上記ファンモータを送風ファンと共に空調ケース内に保持するから、該送風ファン及びファンモータが該空調ケース内で脱落して破損することを防止でき、また該脱着治具の構造が簡単であるためコスト低減に有利になる。
【００４６】
請求項３に係る発明によれば、治具を用いて送風ファン及びファンモータの取り付け作業を行うから、作業者が上記送風ファン及びファンモータを直接把持しなくても該ファンモータを該空調ケースに取り付けることができ、該送風ファンやモータ軸に負荷がかかって変形することを防止できる。また、上記保持ストッパを該空調ケースに係合させることにより、該ファンモータを該空調ケースへ取り付ける前に該送風ファン及びファンモータが該空調ケース内で脱落することを防止できるから、該ファンモータを保持しながら該ファンモータを取り付ける作業を一人で行うことができるため作業効率が高まり、人件費の低減につながる。
【００４７】
請求項４に係る発明によれば、治具を用いて送風ファン及びファンモータの取り外し作業を行うから、作業者が上記送風ファン及びファンモータを直接把持しなくても該ファンモータを該空調ケースから取り外すことができ、該送風ファンやモータ軸に負荷がかかって変形することを防止できる。また、上記保持ストッパを該空調ケースに係合させることにより、上記ファンモータの該空調ケースへの係合を解除した時に該送風ファン及びファンモータが該空調ケース内で脱落することを防止できるから、該ファンモータを保持しながら該ファンモータを取り外す作業を一人で行うことができるため作業効率が高まり、人件費の低減につながる。
【図面の簡単な説明】
【図１】本発明の実施形態に係る空調ユニットの内部構造を示す縦断面図。
【図２】同空調ユニットの送風ファン部分を示す分解斜視図。
【図３】同空調ユニットの取付リング及びファンモータ脱着治具の構造を示す断面図。
【図４】同空調ユニットの取付リングの構造を示す平面図。
【図５】同ファンモータ脱着治具を空調ユニットに係合させた状態を示す平面図。
【図６】本発明の実施形態に係るファンモータ脱着治具の分解斜視図。
【図７】同ファンモータ脱着治具をファン駆動モータに係合させる前の状態を示す模式図。
【図８】同ファンモータ脱着治具をファン駆動モータに係合させた後の状態を示す模式図。
【符号の説明】
１    車両用空調装置
２    空調ユニット
４    空調ケース
４Ａ    本体ケース部
４Ｂ    ドレンケース部
４Ｃ    ダクトアッシーケース部
２２    ファンハウジング
２２ａ  挿入孔
２２ｂ  取付孔
２２ｃ  環状突起
２２ｄ  凹所
２２ｅ  切欠き
２３    送風ファン
２４    ファン駆動モータ
２４ａ  フランジ部
２４ｂ  突出部
２４ｃ  係合突起
２４ｄ  係合凹部
２４ｅ  突出部
２４ｆ  係合溝
２４ｇ  突起
８０    ファンモータ脱着治具
８１    クランプ
８１ａ  クランプ部材
８１ｂ  係合突起
８２    クランプ軸
８３    保持ストッパ
８３ａ  係合部
８３ｂ  回転規制孔
８４    把持ハンドル
８４ａ  規制ピン
【図１】
2004249919.tif 000003
【図２】
2004249919.tif 000004
【図３】
2004249919.tif 000005
【図４】
2004249919.tif 000006
【図５】
2004249919.tif 000007
【図６】
2004249919.tif 000008
【図７】
2004249919.tif 000009
【図８】
2004249919.tif 000010